(57)【特許請求の範囲】
【請求項１】
ベランダを構成する垂直壁と水平スラブとを同時にコンクリート打設する際に、前記垂直壁を形成するための垂直型枠を前記水平スラブの水平鉄筋に基端を固定したベランダサポートで位置調整するベランダサポート用鉄筋アンカーにおいて、
長さ調整可能なサポート本体の基端部に取り付けられる抜きパイプの先端に、Ｕボルトを螺合し、そのＵボルトの両方の軸部の雄ねじ部に、前記水平スラブの水平鉄筋を締め付けるための押さえ板の両端を取り付けたことを特徴とするベランダサポート用鉄筋アンカー。
【請求項２】
押さえ板の一方の端部にはＵボルトの一方の軸部に嵌合する穴を形成し、前記押さえ板の他方の端部にはＵボルトの他方の軸部に側方から係合するＵ溝を形成したことを特徴とする請求項１記載のベランダサポート用鉄筋アンカー。
【請求項３】
Ｕボルトの雄ねじ部の一方を並目ネジ、他方を山が断面円形の特殊ネジとしたことを特徴とする請求項１または２記載のベランダサポート用鉄筋アンカー。
【発明の詳細な説明】
【０００１】
【発明の属する技術分野】
本発明は、鉄筋工事現場のマンションなどのベランダ用横壁の型枠工事のベランダ型枠を支持するための、サポートの支点となる鉄筋アンカーに関する。
【０００２】
【従来の技術】
コンクリートのベランダを建造する場合、従来は、図３のようにまず床面のコンクリートパネル板１０と垂直面のコンクリートパネル板１１を組み上げ、垂直壁となる部分にベランダ型枠１２を垂直面のコンクリートパネル板１１から所定間隔をあけて組み立た後に、ベランダ型枠１２の面の通りと鉛直度を調整するために、床面のコンクリートパネル板１０にベース用金物１３をボルト・ナットや木ねじなどで固定し、サポート本体１５と単管１６と抜きパイプ１７からなるサポートをベランダ型枠１２の端太材１４とベース金物１３との間に組み立ててベランダ型枠１２を調整し、スラブ１８と垂直壁１９のコンクリートを打設していた。
【０００３】
しかしながら、この方法では、サポートを、鉄筋が縦横に走った間をぬってコンクリートパネル板１３に取り付けるのは、コンクリートパネル板１３に穴を加工したりして、手間が掛かるし、面倒である。しかも金物が高価につく。
【０００４】
そこで図４のように、スラブ補強のための鉄筋２０に引っかけ部２１を引っかけて、両ねじボルト２２で締め付ける方式のベース金物が使われることがある。このベース金物は価格も安いという利点があった。
【０００５】
【発明が解決しようとする課題】
しかしながら、図４の両ネジ式のベース金物の欠点は、両ネジボルト２２を使用するので、
（ア）両ネジを回転するためのスパナかけ部などを必要とし、ボルト長がある程度長くないと使用できないが、コンクリート厚が薄くなるとボルトが飛び出して使えないか、または飛び出したボルトを切断しなければならず、手間がかかる。
【０００６】
（イ）両ネジボルト２２で鉄筋２０を上から押しつけるだけなのでコンクリート打設時のバイブレータ使用時にネジがゆるみ、引っかけ部２１が外れて、サポートできなくなる可能性がある。
【０００７】
（ウ）パイプ１７端末の雌ねじが型枠業界において約３種類有り、それぞれに専用の雄ねじの両ネジボルトを使い分けないといけないが、パイプは現場により、まちまちで混在している場合もあり、不便である。
【０００８】
そこで本願発明が解決しようとする課題は、コンクリート厚が薄くてもボルトが飛び出すことが少なく、ネジの緩みも少なく、同じ呼び径のネジであればどの種類のものにも対応できるベランダサポート用鉄筋アンカーを提供することにある。
【０００９】
【課題を解決するための手段】
前記課題を解決するため、本発明のベランダサポート用鉄筋アンカーは、ベランダを構成する垂直壁と水平スラブとを同時にコンクリート打設する際に、前記垂直壁を形成するための垂直型枠を前記水平スラブの水平鉄筋に基端を固定したベランダサポートで位置調整するベランダサポート用鉄筋アンカーにおいて、長さ調整可能なサポート本体の基端部に取り付けられる抜きパイプの先端に、Ｕボルトを螺合し、そのＵボルトの両方の軸部の雄ねじ部に、前記水平スラブの水平鉄筋を締め付けるための押さえ板の両端を取り付けたことを特徴とする。
【００１０】
前記のベランダサポート用鉄筋アンカーにおいて、押さえ板の一方の端部にはＵボルトの一方の軸部に嵌合する穴を形成し、前記押さえ板の他方の端部にはＵボルトの他方の軸部に側方から係合するＵ溝を形成したものとすることができる。  また、前記Ｕボルトの雄ねじ部の一方を並目ネジ、他方を山が断面円形の特殊ネジとすることができる。
【００１１】
【発明の実施の形態】
以下、本発明の実施の形態を、図面に示す実施例を参照しながら具体的に説明する。
【００１２】
図１は本発明の第１実施例を示すものであり、（ａ）は正面図、（ｂ）は押さえ板の平面図である。図１の本実施例において、１はＵボルト、２はＵボルト１の第１の雄ねじ部、３は第２の雄ねじ部、４は押さえ板、５、６は締め付けナットである。押さえ板４には、第１の雄ねじ部２を通すための丸穴４ａと第２の雄ねじ部３に側部から嵌合するためのＵ溝４ｂが形成されている。第１の雄ねじ部２または第２の雄ねじ部３には、図４に示した抜きパイプ１７の先端が螺合される。
【００１３】
第１の雄ねじ２は、ウイットサイズの並目ねじであり、第２の雄ねじ３は山が断面円形の特殊ネジである。
【００１４】
図２は本発明の第２実施例を示すものであり、押さえ板４の他方のＵ溝４ｃが押さえ板４の長手方向に沿って形成されていることと、ナットが省略されているほかは第１実施例と同様である。
【００１５】
【発明の効果】
本発明では、図１または図２のように、Ｕボルト１を使用することで、下記の効果を奏する。
【００１６】
（ア）コンクリートに埋設される部分は押さえ板４と締め付けナット５，６の厚みのみでよく、コンクリート厚がかなり薄くても，Ｕボルト１の全長を短くすれば、簡単に対応できる。
【００１７】
（イ）鉄筋２０を、Ｕボルト１で、左右２箇所のナット５，６で締め付けるため、押さえ板４の締め付け力によるスプリングバック的な力も作用して、ナット５，６が緩みにくい。万一、ナット５，６が緩んでも鉄筋２０から抜け落ちることはないので、パイプ１７を締め込めばそのまま使用できる。
【００１８】
（ウ）Ｕボルト１の左右の雄ねじの一方を並目ネジ、他方を山が断面円形の特殊ネジとしているので、型枠業界で使用されるパイプ３種の雌ねじ、すなわち、ウイットサイズの並目ネジ、ＩＢネジ、ＲＢネジに対して全て対応できる。どこの現場に持っていっても、使用可能なので、汎用性が高く、また在庫が少なくて済むので、省スペース、省コストとなる。
【００１９】
（エ）さらに、Ｕボルト式なので、強度も高く、大量生産しやすいので、価格も安い。
【００２０】
（オ）押さえ板４の、一方を丸穴とし、他方を切り欠いたＵ溝４ｂとすることにより、鉄筋２０にＵボルト部をくぐらせて、押さえ板４を回してＵ溝４ｂをＵボルト１の締め付け部まで押し込み、ナット５，６を締めれば固定できるので、取付が簡単で速い。
【図面の簡単な説明】
【図１】  本発明の第１実施例を示すものであり、（ａ）は正面図、（ｂ）は押さえ板の平面図である。
【図２】  本発明の第２実施例を示すものであり、（ａ）は正面図、（ｂ）はその底面図である。
【図３】  従来のベランダサポートとベース用金物による施工例を示す断面図である。
【図４】  従来の鉄筋締め付け具の拡大図である。
【符号の説明】
１  Ｕボルト、２  第１の雄ねじ部、３  第２の雄ねじ部、４  押さえ板、４ａ丸穴、４ｂ、４ｃ  Ｕ溝、５，６  締め付けナット、１０，１１  コンクリートパネル板、１２  ベランダ型枠、１３  ベース用金物、１４  端太材、１５  サポート本体、１６  単管、１７  抜きパイプ、１８  スラブ、１９  垂直壁、２０  鉄筋、２１  引っかけ部、２２  両ねじボルト
【図１】
0003943700.tif 000002
【図２】
0003943700.tif 000003
【図３】
0003943700.tif 000004
【図４】
0003943700.tif 000005